(57)【要約】      （修正有）【課題】リクライニングチェアーとしての機能を備えるマッサージベッドを提供する。【解決手段】マッサージ用ベッドは、人体の下半身側に配置されるベッド本体部１０と、ベッド本体部の一端側にリクライニング動作可能に配置され、人体の上半身側に配置される背もたれ部２０と、背もたれ部をベッド本体部に対して所定のリクライニング位置に傾動させる背もたれ部駆動機構と、を備える。【選択図】図１
0003231857.tif 000002
【実用新案登録請求の範囲】
【請求項１】
人体の下半身側に配置されるベッド本体部と、
前記ベッド本体部の一端側にリクライニング動作可能に配置され、前記人体の上半身側に配置される背もたれ部と、
前記背もたれ部を前記ベッド本体部に対して所定の角度をなすリクライニング位置に傾動させる背もたれ部駆動機構と、
を備えることを特徴とするマッサージ用ベッド。
【請求項２】
前記ベッド本体部の両側端部には、前記背もたれ部がリクライニング位置に傾動したとき、この背もたれ部の傾動に伴って持ち上がるアームレスト部を備えることを特徴とする請求項１に記載のマッサージ用ベッド。
【請求項３】
前記背もたれ部の端部であって前記ベッド本体部と反対側の端部には、頭部を保持するヘッドレスト部が配置され、
前記ヘッドレスト部は、前記ヘッドレスト部の前記背もたれ部に対する角度位置を独自に設定するヘッドレスト駆動機構を備えることを特徴とする請求項１に記載のマッサージ用ベッド。
【請求項４】
前記背もたれ部駆動機構は、
前記ベッド本体部の裏面側に設けられたアクチュエータと、
前記アクチュエータに接続され、前記背もたれ部に向いた直線に沿って駆動される移動部材と、
前記移動部材に設置されると共に、前記背もたれ部の裏面側に固定され、前記移動部材の移動位置に基づいて前記背もたれ部の角度位置を設定するアーム部と、
を備えることを特徴とする請求項１に記載のマッサージ用ベッド。
【請求項５】
前記アクチュエータを、前記アクチュエータから離間した箇所において操作する遠隔操作部を備えることを特徴とする請求項４に記載のマッサージ用ベッド。
【請求項６】
前記ヘッドレスト駆動機構は、
手動で操作され所定の位置に設定されるハンドルと、前記操作アーム部が設定された位置に基づいて前記ヘッドレスト部の前記背もたれ部との角度位置を変更するリンク機構と、
を備えることを特徴とする請求項３に記載のマッサージ用ベッド。
【請求項７】
前記アクチュエータは電動アクチュエータであることを特徴とする請求項４に記載のマッサージ用ベッド。
【考案の詳細な説明】
【技術分野】
【０００１】
本考案は、マッサージ用ベッドに関する。
【背景技術】
【０００２】
一般にマッサージ、治療院、整体院において、施術者は被施術者をマッサージベッドに横たわってもらい施術する。その後、被施術者を別室に配置したリクライニングシートに座ってもらい、手、足裏、背中のマッサージをすることがある。マッサージ等に使用されるベッドについて様々なものが提案されている。
【０００３】
特許文献１には、ベッド本体の長さ方向一側部に回動固定機構を介して傾動可能な背もたれ部を構成し、この背もたれ部の両側にはそれぞれ回動固定機構を介して前方へ回動する肘掛け部を設けた肘掛け付きベッドが記載されている。
【０００４】
また、特許文献２には、基体と、前記基体の上面の第１領域に固定された固定部と前記基体の上面の第２領域に傾斜可能に設けられた可動部とを有する段ボール製の床板と、互いに平行な第１端縁および第２端縁を有し、傾斜した前記可動部を支持する段ボール製の支持板部材とを備え、前記固定部と前記可動部との境界には、前記可動部を回動させるための回動軸部が設けられており、前記可動部が傾斜した状態では、前記支持板部材が前記可動部の傾斜方向とは反対の方向に傾斜して配置されて、前記第１端縁が前記第２領域に当接されるとともに、前記第２端縁が前記可動部の下面に当接される、ベッドが記載されている。
【先行技術文献】
【特許文献】
【０００５】
【特許文献１】実全昭６１−０２１３５７号公報
【特許文献２】特開２０１７−１２１４２０号公報
【考案の概要】
【考案が解決しようとする課題】
【０００６】
しかしながら、施術者や被施術者にとって、マッサージベッドでの施術後、別室のリクライニングチェアーに移動することは煩雑である。また、治療院側にとっても、マッサージベッドとリクライニングチェアーの双方を準備して個別に設置する場所を準備する必要があり費用がかかる。
【０００７】
本考案は上述した課題に鑑みてなされたものであり、リクライニングチェアーとしての機能を備えるマッサージベッドを提供することを目的とする。
【課題を解決するための手段】
【０００８】
前記課題を解決する請求項１に記載の考案は、人体の下半身側に配置されるベッド本体部と、前記ベッド本体部の一端側にリクライニング動作可能に配置され、前記人体の上半身側に配置される背もたれ部と、前記背もたれ部を前記ベッド本体部に対して所定の角度をなすリクライニング位置に傾動させる背もたれ部駆動機構と、を備えることを特徴とするマッサージ用ベッドである。
【０００９】
同じく請求項２に記載の考案は、請求項１に記載のマッサージ用ベッドにおいて、前記ベッド本体部の両側端部には、前記背もたれ部がリクライニング位置に傾動したとき、この背もたれ部の傾動に伴って持ち上がるアームレスト部を備えることを特徴とする。
【００１０】
同じく請求項３に記載の考案は、請求項１に記載のマッサージ用ベッドにおいて、前記背もたれ部の端部であって前記ベッド本体部と反対側の端部には、頭部を保持するヘッドレスト部が配置され、前記ヘッドレスト部は、前記ヘッドレスト部の前記背もたれ部に対する角度位置を独自に設定するヘッドレスト駆動機構を備えることを特徴とする。
【００１１】
同じく請求項４に記載の考案は、請求項１に記載のマッサージ用ベッドにおいて、前記背もたれ部駆動機構は、前記ベッド本体部の裏面側に設けられたアクチュエータと、前記アクチュエータに接続され、前記背もたれ部に向いた直線に沿って駆動される移動部材と、前記移動部材に設置されると共に、前記背もたれ部の裏面側に固定され、前記移動部材の移動位置に基づいて前記背もたれ部の角度位置を設定するアーム部と、を備えることを特徴とする。
【００１２】
同じく請求項５に記載の考案は、請求項４に記載のマッサージ用ベッドにおいて、前記アクチュエータを、前記アクチュエータから離間した箇所において操作する遠隔操作部を備えることを特徴とする。
【００１３】
同じく請求項６に記載の考案は、請求項３に記載のマッサージ用ベッドにおいて、前記ヘッドレスト駆動機構は、手動で操作され所定の位置に設定されるハンドルと、前記ハンドルが設定された位置に基づいて前記ヘッドレスト部の前記背もたれ部との角度位置を変更するリンク機構と、を備えることを特徴とする。
【００１４】
同じく請求項７に記載の考案は、請求項４に記載のマッサージ用ベッドにおいて、前記アクチュエータは電動アクチュエータであることを特徴とする。
【考案の効果】
【００１５】
本考案に係るマッサージ用ベッドによれば、通常のマッサージのために使用できると共に、背もたれ部を自由に傾斜した状態とできるリクライニングチェアーとして使用することができ、マッサージ用ベッドの他にリクライニングチェアーを準備する必要がなくなる。
【００１６】
即ち、請求項１に記載の考案によれば、マッサージ用ベッドにおいて、背もたれ部はベッド本体に対して傾斜していないマッサージ用の状態と、背もたれ部駆動機構により所定のリクライニング位置に傾動したリクライニングシートとして使用できる状態とに設定できる。このため、マッサージベッドとリクライニングチェアーの双方を準備したり、双方を設置するための場所を準備したりする必要がない。
【００１７】
また、請求項２に記載の考案によれば、ベッド本体部の両側端部には、背もたれ部が傾動されたとき、背もたれ部の傾動に伴って持ち上がるアームレスト部を備えるから、マッサージ用ベッドをリクライニングチェアーとして使用する状態では、着座者が両腕をアームレストに置きてリラックスすることができる。また、このアームレストは、背もたれ部が傾動しないマッサージ用ベッドの状態としたときにはベッド本体部と同一の高さに収納されるため、マッサージの邪魔にならない。
【００１８】
また、請求項３に記載の考案によれば、マッサージ用ベッドのベッド本体部にはヘッドレスト部が備えられ、このヘッドレスト部は、ヘッドレスト駆動機構により背もたれ部に対する角度位置を独自に設定できる。このため、ヘッドレスト部で着座した被施術者の頭部を所望の角度位置で保持できる。
【００１９】
また、請求項４に記載の考案によれば、背もたれ部駆動機構はベッド本体部の裏面側に設けられたアクチュエータと、アクチュエータに接続され背もたれ部に向いた直線に沿って駆動される移動部材と、移動部材に設置されると共に前記背もたれ部の裏面側に固定され、移動部材の移動位置に基づいて前記背もたれ部の角度位置を設定するアーム部と、を備える。このため、アクチュエータの動作により、移動部材及びアーム部が移動して背もたれ部が傾動してリクライニング位置に移動される。よって、手動の操作によることなく、背もたれ部の角度をアクチュエータの駆動により容易にリクライニング位置にしたり収納したりすることができる。
【００２０】
また、請求項５に記載の考案によれば、遠隔操作部によりアクチュエータから離間した箇所から操作することができる。よって、背もたれ部の角度を施術者の手元に配置した遠隔操作部の操作で簡単に変更できる。
【００２１】
更に、請求項６に記載の考案によれば、ヘッドレスト部のヘッドレスト駆動機構は、手動で操作され所定の位置に設定されるハンドルと、ハンドルが設定された位置に基づいてヘッドレスト部の背もたれ部との角度位置を変更するリンク機構と、で構成される。よって、手動でのハンドルの操作でリンク機構を介してヘッドレスト部の背もたれ部との角度位置を所望の状態に変更できる。
【００２２】
そして、請求項７に記載の考案によれば、アクチュエータは電動アクチュエータである。よって、マッサージ用ベッドに電力を供給するだけで背もたれ部の角度変更を行うことができ、手軽に使用できる。
【図面の簡単な説明】
【００２３】
【図１】本考案の実施形態に係るマッサージ用ベッドをマッサージ用として使用する状態を示す斜視図である。
【図２】同マッサージ用ベッドをリクライニングチェアーとして使用する状態を示す斜視図である。
【図３】同マッサージ用ベッドの背もたれ部を傾斜させ始めた状態におけるフレームの状態を示す斜視図である。
【図４】同マッサージ用ベッドの背もたれ部を傾斜させ終えた状態におけるフレームの状態を示す斜視図である。
【図５】同マッサージ用ベッドにおけるフレームの状態を示すものであり、（ａ）は背もたれ部を傾斜させない状態におけるは平面図、（ｂ）は背もたれ部を傾斜させない状態を示す（ａ）中のＡ−Ａ線に相当する端面図、（ｃ）は背もたれ部を傾斜させた状態を示す（ａ）中のＡ−Ａ線に相当する端面図である。
【図６】同マッサージ用ベッドにおいてアームレストの昇降させる場合のフレームの状態を示すものであり、（ａ）はアームレストを上昇させていない状態を示す図５（ａ）中のＢ−Ｂ線に相当する端面図、（Ｂ）はアームレストを上昇させた状態を示す図５（ａ）中のＢ−Ｂ線に相当する端面図である。
【図７】同マッサージ用ベッドのヘッドレスト部の背面を示す斜視図である。
【図８】同マッサージ用ベッドのヘッドレスト部のヘッドレスト駆動機構を示すものであり、（ａ）は傾斜前、（ｂ）は傾斜後における模式図である。
【考案を実施するための形態】
【００２４】
本考案を実施するための形態に係るマッサージ用ベッドを図面に基づいて説明する。
【００２５】
＜マッサージ用ベッドの外観＞
まず、本実施形態に係るマッサージ用ベッドの外観について説明する。図１は本考案の実施形態に係るマッサージ用ベッドをマッサージ用として使用する状態を示す斜視図、図２は同マッサージ用ベッドをリクライニングチェアーとして使用する状態を示す斜視図である。
【００２６】
本実施形態に係るマッサージ用ベッド１００は、図１に示すように、ベッド本体部１０と、背もたれ部２０とを備えて構成されている。ベッド本体部１０は被施術者の下半身側に配置される。また、背もたれ部２０はベッド本体部１０の一端側にリクライニング動作可能に配置され、被施術者の上半身側に配置される。
【００２７】
マッサージ用ベッド１００は、ベッド本体部１０の両側部にアームレスト部３０Ｌ、３０Ｒを備える。アームレスト部３０Ｌ、３０Ｒは着座した被施術者が腕を載置することができる。更に、マッサージ用ベッド１００は、背もたれ部２０の端部であってベッド本体部１０と反対側には、ヘッドレスト部４０を備える。ヘッドレスト部４０は、着座した被施術者が頭部を載置することができる。なお、符号に付した「Ｌ」「Ｒ」は被施術者から見た「左」「右」に対応している（以下の符号において同じ）。
【００２８】
マッサージ用ベッド１００は、４本の脚部７１、７２、７３、７４を備えた基台７０にクッション材を充填し表皮を被せたフレーム２００（図１、図２には表れていない：図３〜図６を参照）を配置して構成されている。尚、図１では、マッサージ用ベッド１００の足側にはマッサージ時における足置台５０が配置され、ベッド本体部１０及び足置台５０には足用クッション６１が、ヘッドレスト部４０には頭用クッション６２が配置されている。更に、基台７０には物置棚７５が配置されている。
【００２９】
更に、図２には、マッサージ用ベッド１００をリクライニングシートとして使用する際に配置されるリクライニング足置台８０が記載され、リクライニング足置台８０には、リクライニング足用クッション８１が配置されている。
【００３０】
本実施形態に係るマッサージ用ベッド１００は、図１に示した「マッサージ用ベッドとして使用する状態」、即ち、背もたれ部２０を倒し、ベッド本体部１０と背もたれ部２０とを略同一面となるように倒し、且つ、アームレスト部３０Ｌ、３０Ｒをベッド本体部１０と略同一面に収納した状態から、図２に示した「リクライニングチェアーとして使用する状態」、即ち、背もたれ部２０を起こし、且つ、アームレスト部３０Ｌ、３０Ｒを上昇させた状態にすることができる。この動作はフレーム２００を変形させることにより実現する。
【００３１】
＜フレームの構造＞
次にマッサージ用ベッド１００の内部に配置されたフレーム２００について説明する。
図３は同マッサージ用ベッドの背もたれ部を傾斜させ始めた状態におけるフレームの状態を示す斜視図、図４は同マッサージ用ベッドの背もたれ部を傾斜させ終えた状態におけるフレームの状態を示す斜視図、図５は同マッサージ用ベッドにおけるフレームの状態を示すものであり、（ａ）は背もたれ部を傾斜させない状態におけるは平面図、（ｂ）は背もたれ部を傾斜させない状態を示す（ａ）中のＡ−Ａ線に相当する端面図、（ｃ）は背もたれ部を傾斜させた状態を示す（ａ）中のＡ−Ａ線に相当する端面図である。
【００３２】
図３、図４、及び図５（ａ）に示すように、フレーム２００は、ベッド本体部１０に内蔵される本体部フレーム２１０と、背もたれ部２０に内蔵される背もたれ部フレーム２２０と、アームレスト部３０Ｌ、３０Ｒに内蔵されるアームレスト上側部フレーム２３０Ｌ、２３０Ｒ及びアームレスト立ち上り部フレーム２４０Ｌ，２４０Ｒと、から構成される。  
【００３３】
本体部フレーム２１０、背もたれ部フレーム２２０、アームレスト上側部フレーム２３０Ｌ、２３０Ｒ、及びアームレスト立ち上り部フレーム２４０Ｌ、２４０Ｒは、適宜寸法に切断した鋼製角パイプを溶接して形成される。また、本体部フレーム２１０、背もたれ部フレーム２２０、アームレスト上側部フレーム２３０Ｌ、２３０Ｒ、アームレスト立ち上り部フレーム２４０Ｌ、２４０Ｒは、蝶番２５１Ｌ、２５１Ｒ、２５２Ｌ、２５２Ｒ，２５３Ｌ，２５３Ｒ、２５４Ｌ、２５４Ｒで接合され、所定の箇所で折り曲げが可能に組み立てられる。
【００３４】
本体部フレーム２１０は、幅方向（人の横たわる方向と直角：図５（ａ）において上下方向、以下同じ）に沿って配置される３本の横フレーム２１１、２１２、２１３と、縦方向（横方向と直角：図４（ａ）において幅方向、以下同じ）に沿って配置される縦フレーム２１４Ｌ、２１４Ｒとを所定の箇所で溶接して接合して枠状に形成される。
【００３５】
また、本体部フレーム２１０には、アームレスト立ち上り部フレーム２４０Ｌ、２４０Ｒを取り付けるための横取付用フレーム２１５Ｌ，２１５Ｒと、縦取付用フレーム２１６Ｒ、２１６Ｌとが溶接固定されている。
【００３６】
背もたれ部フレーム２２０は、幅方向に沿って配置される３本の横フレーム２２１、２２２，２２３と、縦方向に沿って配置される縦フレーム２２４Ｌ，２２４Ｒとを所定箇所で溶接して全体矩形枠状に形成される。
【００３７】
また、縦フレーム２２４Ｌ、２２４Ｒには、幅方向外方に向けて、アームレスト上側部フレーム２３０Ｌ、２３０Ｒを取り付けけるための突出フレーム２２５Ｌ，２２５Ｒが溶接固定されている。
【００３８】
更に、本体部フレーム２１０の横フレーム２１３と背もたれ部フレーム２２０の横フレーム２２１とは、２つの蝶番２５３Ｌ、２５３Ｒで接続され、本体部フレーム２１０と背もたれ部フレーム２２０とは屈曲自在である。
【００３９】
アームレスト上側部フレーム２３０Ｌは、横フレーム２３１Ｌ、２３２Ｌ及び縦フレーム２３３ＬＬ、２３３ＬＲを所定の箇所で溶接して矩形枠状に形成される。同様に、アームレスト上側部フレーム２３０Ｒは、横フレーム２３１Ｒ、２３２Ｒ及び縦フレーム２３３ＲＬ、２３３ＲＲを所定の箇所で溶接して矩形枠状に形成される。
【００４０】
アームレスト立ち上り部フレーム２４０Ｌは、横フレーム２４１Ｌ、２４２Ｌ及び縦フレーム２４３ＬＬ、２４３ＬＲを所定の箇所で溶接して矩形枠状に形成される。同様に、アームレスト立ち上り部フレーム２４０Ｒは、横フレーム２４１Ｒ、２４２Ｒ及び縦フレーム２４３ＲＬ、２４３ＲＲを所定の箇所で溶接して矩形枠状に形成される。
【００４１】
本実施形態において、アームレスト上側部フレーム２３０Ｌの横フレーム２３２Ｌと、本体部フレーム２１０の横取付用フレーム２１５Ｌとは、蝶番２５４Ｌで接合されている。同様に、アームレスト上側部フレーム２３０Ｒの２３２Ｒと、本体部フレーム２１０の横取付用フレーム２１５Ｒとは、蝶番２５４Ｒで接合されている。
【００４２】
また、アームレスト上側部フレーム２３０Ｌの横フレーム２３１Ｌと、アームレスト立ち上り部フレーム２４０Ｌの横フレーム２４２Ｌとは、蝶番２５２Ｌで接合されている。
同様に、アームレスト上側部フレーム２３０Ｒの横フレーム２３１Ｒと、アームレスト立ち上り部フレーム２４０Ｒの横フレーム２４２Ｒとは、蝶番２５２Ｒで接合されている。
【００４３】
更に、アームレスト立ち上り部フレーム２４０Ｌの横フレーム２４１Ｌと、本体部フレーム２１０の横取付用フレーム２１５Ｌとは、蝶番２５１Ｌで接合されている。同様に、アームレスト立ち上り部フレーム２４０Ｒの横フレーム２４１Ｒと、本体部フレーム２１０の横取付用フレーム２１５Ｒとは、蝶番２５１Ｒで接合されている。
【００４４】
＜背もたれ部駆動機構＞
フレーム２００の下側には、背もたれ部駆動機構２７０が配置されている。背もたれ部駆動機構２７０は、背もたれ部フレーム２２０を本体部フレーム２１０に対して傾動させるリクライニング動作を行う。また、背もたれ部フレーム２２０の傾動と共に、アームレスト上側部フレーム２３０Ｌ、２３０Ｒ、アームレスト立ち上り部フレーム２４０Ｌ、２４０Ｒが持ち上がる。
【００４５】
背もたれ部駆動機構２７０は、移動部材であるピストン部材２７２を進退動させるアクチュエータである電動アクチュエータ２７１を備える。
【００４６】
本マッサージ用ベッド１００では、図５（ｂ）、（ｃ）に示すように、背もたれ部フレーム２２０の横フレーム２２２にはアーム部材２６２が固定されている。このアーム部材２６２は、五角形の２枚の鋼板で形成され、アーム部材２６２に一端が溶接固定され、他端がピストン部材２７２の先端に回動可能に接続されている。ピストン部材２７２の移動により、背もたれ部フレーム２２０の横フレーム２２２を移動させ、背もたれ部フレーム２２０を本体部フレーム２１０に対して傾動させる。
【００４７】
尚、図５（ａ）に示すように、電動アクチュエータ２７１は、本体部フレーム２１０の横フレーム２１２に取付ステー２６１を介して取り付けられ、電動モータ２７３を備える。この電動モータ２７３には、遠隔操作部２７４が接続されている。遠隔操作部２７４は遠隔操作部２７４を離間した箇所から、背もたれ部２０を上昇、下降、停止させる操作ができる、このため、遠隔操作部２７４を施術者等が手元で操作することで背もたれ部駆動機構２７０を駆動操作し、マッサージ用ベッド１００を「マッサージ用ベッドとして使用する状態」と「リクライニングチェアーとして使用する状態」とのいずれかの状態に設定にできる。
【００４８】
次に、背もたれ部駆動機構２７０の動作について説明する。本実施形態に係るマッサージ用ベッド１００において、図５（ｂ）に示す状態（「マッサージ用ベッドとして使用する状態」）から、背もたれ部駆動機構２７０を駆動して電動アクチュエータ２７１からピストン部材２７２を押し出す場合について説明する。
【００４９】
まず電動アクチュエータ２７１を駆動すると、図５（ｂ）に示すように、ピストン部材２７２がアーム部材２６２を押し出し（図５（ｂ）中矢印ａ）、その結果、背もたれ部フレーム２２０は本体部フレーム２１０に対して蝶番２５３Ｌ、２５３Ｒを軸として回動する（図５（ｂ）中矢印ｂ）。電動アクチュエータ２７１を停止すると、背もたれ部フレーム２２０は本体部フレーム２１０に対して所定の角度を保つ。これにより、マッサージ用ベッド１００は、「リクライニングチェアーとして使用する状態」になる。
【００５０】
一方、図５（ｂ）に示す「リクライニングチェアーとして使用する状態」から、遠隔操作部２７４を操作して電動アクチュエータ２７１を逆方向に駆動する。これにより、電動アクチュエータ２７１が逆方向に動作し、ピストン部材２７２はアーム部材２６２を引き寄せ（図５（ｃ）中矢印ｃ）、その結果、背もたれ部フレーム２２０は本体部フレーム２１０に対して蝶番２５３Ｌ、２５３Ｒを軸として回動し（図５（ｃ）中矢印ｄ）、本体部フレーム２１０に対して同じ平面上に位置する。これにより、マッサージ用ベッド１００は、「マッサージ用ベッドとして使用する状態」に戻る。なお、背もたれ部駆動機構２７０としては、上述した機構の他、歯車機構、ベルト機構、油圧機構等他の機構を用いることができる。
【００５１】
＜アームレスト部＞
本実施形態に係るマッサージ用ベッド１００では、上述した背もたれ部２０の動作に連動して左右のアームレスト部３０Ｌ、３０Ｒが昇降動作する。図６は同マッサージ用ベッドにおいてアームレストの昇降させる場合のフレームの状態を示すものであり、（ａ）はアームレストを上昇させていない状態を示す図５（ａ）中のＢ−Ｂ線に相当する端面図、（Ｂ）はアームレストを上昇させた状態を示す図５（ａ）中のＢ−Ｂ線に相当する端面図である。
【００５２】
図６（ａ）では、左側のアームレスト部３０Ｌ内のアームレスト上側部フレーム２３０Ｌの動作を示している。右側のアームレスト部３０Ｒ内のアームレスト上側部フレーム２３０Ｒの同様の動作をする。
【００５３】
背もたれ部駆動機構２７０により、背もたれ部フレーム２２０が図６（ａ）に示した状態から図３、図４及び図６（ｂ）に示した状態に回動すると、アームレスト上側部フレーム２３０Ｌの縦フレーム２３３ＬＬが移動し（図６（ｂ）中矢印ｅ）、この動作に伴いアームレスト立ち上り部フレーム２４０Ｌが蝶番２５１Ｌを中心として起き上がる（図６（ｂ）中矢印ｆ）。
【００５４】
これにより、背もたれ部２０の回動に連動してアームレスト部３０Ｌ、３０Ｒが上昇してアームレスト部３０Ｌ、３０Ｒは使用可能状態になる。
【００５５】
＜ヘッドレスト部＞
次にヘッドレスト部４０について説明する。上述のように背もたれ部２０には、背もたれ部２０に対する角度位置を独自に設定するヘッドレスト部４０が配置されている。図７は同マッサージ用ベッドのヘッドレスト部の背面図、図８は同マッサージ用ベッドのヘッドレスト部のヘッドレスト駆動機構を示すものであり、（ａ）は傾斜前、（ｂ）は傾斜後における模式図である。
【００５６】
ヘッドレスト部４０は背もたれ部２０にヘッドレスト駆動機構４００により傾動可能に取り付けられている。なお、ヘッドレスト部４０は、略中央部に被施術者がうつ伏せ状態になったとき口鼻部を入れる開口４１が形成されている。
【００５７】
ヘッドレスト駆動機構４００は、図７及び図８に示すように、フレーム４０１、２本のリブ４０２、２本のレバー４０３、２本のピラー４０４、１本のシャフト４０５、及び１本のハンドル４０６を備える。また、ピラー４０４には、シャフト４０５が移動する長穴４０７が開設されている。これらのフレーム４０１、リブ４０２、レバー４０３、ピラー４０４、シャフト４０５はハンドル４０６の動きをフレーム４０１に伝えるリンク機構を構成している。
【００５８】
フレーム４０１は、ヘッドレスト部４０に固定されている。また、２本のリブ４０２は、フレーム４０１に固着されている。２本のレバー４０３は、それぞれ上端部がリブ４０２に軸４１０で回転自在に保持され、下端部が軸４０９でシャフト４０５に回転自在に保持されている。
【００５９】
ピラー４０４は、上端を軸４０９でリブ４０２に保持され、下端に形成した長穴４０７内にシャフト４０５が配置され、ピラー４０４は上下方向にスライド可能である。本例では、レバー４０３とハンドル４０６とは所定角度を持って固着されており、ハンドル４０６を手動で回転させると、４０３が軸４０８を中心として回動する。
【００６０】
次にヘッドレスト駆動機構４００の動作について説明する。図８（ａ）の状態、即ちヘッドレスト部４０が背もたれ部２０に対して所定の角度を持つ状態から、ハンドル４０６を手動で回動させる場合について説明する。
【００６１】
この場合、ハンドル４０６を時計方向に回転させると、レバー４０３が時計方向に回転し、このレバー４０３の回転によりリブ４０２が反時計方向に回転する。これにより、リブ４０２と共にフレーム４０１が反時計方向に回転し、更に、ピラー４０４が長穴４０７に沿って下がり、長穴４０７内におけるシャフト４０５の位置が相対的に上昇する。
【００６２】
これらの動作により、フレーム４０１、即ちヘッドレスト部４０を反時計方向に傾動させることができる。ハンドル４０６を逆方向に回動すると、他の部材も逆方向に移動して、フレーム４０１、即ちヘッドレスト部４０が時計方向に傾動させることができる。なお、ヘッドレスト駆動機構４００として上記の構成以外の構成、例えば異なるリンク機構、歯車機構等を使用することができる。
【００６３】
以上のように本実施形態に係るマッサージ用ベッド１００によれば、マッサージ用ベッドにおいて、背もたれ部はベッド本体に対して傾斜していないマッサージ用の状態と、背もたれ部駆動機構により所定のリクライニング位置に傾動したリクライニングシートとして使用できる状態とに設定できる。このため、マッサージベッドとリクライニングチェアーの双方を準備したり、双方を設置するための場所を準備したりする必要がない。
【００６４】
また本実施形態に係るマッサージ用ベッド１００によれば、ベッド本体部１０の両側端部には、背もたれ部２０が傾動されたとき、背もたれ部の傾動に伴って持ち上がるアームレスト部３０Ｌ、３０Ｒを備えるから、マッサージ用ベッド１００をリクライニングチェアーとして使用する状態では、着座した被施術者が両腕をアームレスト部３０Ｌ、３０Ｒに置いてリラックスすることができる。また、このアームレスト部３０Ｌ、３０Ｒは、背もたれ部２０を傾動させマッサージ用ベッドの状態としたときにはベッド本体部１０と同一の高さに収納されるため、マッサージの邪魔にならない。
【００６５】
また、本実施形態に係るマッサージ用ベッド１００によれば、マッサージ用ベッドのベッド本体部１０にはヘッドレスト部４０が備えられ、このヘッドレスト部４０は、ヘッドレスト駆動機構４００により背もたれ部２０に対する角度位置を独自に設定できる。このため、ヘッドレスト部で着座した被施術者の頭部を所望の角度位置で保持できる。
【００６６】
また、本実施形態に係るマッサージ用ベッド１００によれば、背もたれ部駆動機構２７０はベッド本体部１０の裏面側に設けられた電動アクチュエータ２７１と、電動アクチュエータ２７１に接続された移動部材であるピストン部材２７２と、ピストン部材２７２に設置されると共に背もたれ部２０の裏面側に固定され、ピストン部材２７２の移動位置に基づいて背もたれ部２０の角度位置を設定するアーム部材２６２と、を備える。このため、背もたれ部２０は電動アクチュエータ２７１の動作により、背もたれ部２０が傾動してリクライニング位置に移動される。よって、手動の操作によることなく、背もたれ部２０の角度を電動アクチュエータ２７１の駆動により容易にリクライニング位置にしたり収納したりすることができる。また背もたれ部駆動機構２７０は電動であるので、特別の設備を準備することなく簡単に設置できる。
【００６７】
また、本実施形態に係るマッサージ用ベッド１００によれば、遠隔操作部２７４により電動アクチュエータ２７１から離間した箇所から操作することができる。よって、背もたれ部２０の角度を施術者の手元に配置した遠隔操作部２７４の操作で簡単に変更できる。
【００６８】
また、本実施形態に係るマッサージ用ベッド１００によれば、ヘッドレスト部４０のヘッドレスト駆動機構４００は、手動で操作され所定の位置に設定されるハンドル４０６と、ハンドル４０６が設定された位置に基づいてヘッドレスト部の背もたれ部との角度位置を変更するリンク機構と、で構成される。よって、手動でのハンドル４０６の操作でリンク機構を介してヘッドレスト部４０の背もたれ部２０との角度位置を所望の状態に変更できる。
【産業上の利用可能性】
【００６９】
本考案に係るマッサージ用ベッドは、リクライニングチェアーとしての機能を備え、マッサージベッドとリクライニングチェアーの双方を準備したり、双方を設置する場所を準備したりする必要がなくなり、費用がかからないので、産業上で利用可能である。
【符号の説明】
【００７０】
１０：ベッド本体部
２０：背もたれ部
３０Ｌ、３０Ｒ：アームレスト部
４０：ヘッドレスト部
４１：開口
５０：足置台
６１：足用クッション
６２：頭用クッション
７０：基台
７１、７２、７３、７４：脚部
７５：物置棚
８０：リクライニング足置台
８１：リクライニング足用クッション
１００：マッサージ用ベッド
２００：フレーム
２１０：本体部フレーム
２１１、２１２、２１３：横フレーム
２１４Ｌ、２１４Ｒ：縦フレーム
２１５Ｌ、２１５Ｒ：横取付用フレーム
２１６Ｌ、２１６Ｒ：縦取付用フレーム
２２０：背もたれ部フレーム
２２１、２２２、２２３：横フレーム
２２４Ｌ、２２４Ｒ：縦フレーム
２２５Ｌ、２２５Ｒ：突出フレーム
２３０Ｌ、２３０Ｒ：アームレスト上側部フレーム
２３１Ｌ、２３１Ｒ：横フレーム
２３２Ｌ、２３２Ｒ：横フレーム
２３３ＬＬ、２３３ＬＲ：縦フレーム
２３３ＲＬ、２３３ＲＲ：縦フレーム
２４０Ｌ、２４０Ｒ：アームレスト立ち上り部フレーム
２４１Ｌ、２４１Ｒ：横フレーム
２４２Ｌ、２４２Ｒ：横フレーム
２４３ＬＬ、２４３ＬＲ：縦フレーム
２４３ＲＬ、２４３ＲＲ：縦フレーム
２５１Ｌ、２５１Ｒ：蝶番
２５２Ｌ、２５２Ｒ：蝶番
２５３Ｌ、２５３Ｒ：蝶番
２５４Ｌ、２５４Ｒ：蝶番
２６１：取付ステー
２６２：アーム部材
２７０：背もたれ部駆動機構
２７１：電動アクチュエータ（アクチュエータ）
２７２：ピストン部材（移動部材）
２７３：電動モータ
２７４：遠隔操作部
４００：ヘッドレスト駆動機構
４０１：フレーム
４０２：リブ（リンク機構）
４０３：レバー
４０４：ピラー（リンク機構）
４０５：シャフト（リンク機構）
４０６：ハンドル（リンク機構）
４０７：長穴（リンク機構）
４０８、４０９、４１０：軸（リンク機構）
【図１】
0003231857.tif 000003
【図２】
0003231857.tif 000004
【図３】
0003231857.tif 000005
【図４】
0003231857.tif 000006
【図５】
0003231857.tif 000007
【図６】
0003231857.tif 000008
【図７】
0003231857.tif 000009
【図８】
0003231857.tif 000010
【手続補正書】
【提出日】令和2年12月7日(2020.12.7)
【手続補正１】
【補正対象書類名】実用新案登録請求の範囲
【補正対象項目名】請求項６
【補正方法】変更
【補正の内容】
【請求項６】
前記ヘッドレスト駆動機構は、
手動で操作され所定の位置に設定されるハンドルと、操作アーム部が設定された位置に基づいて前記ヘッドレスト部の前記背もたれ部との角度位置を変更するリンク機構と、
を備えることを特徴とする請求項３に記載のマッサージ用ベッド。
【手続補正書】
【提出日】令和3年3月3日(2021.3.3)
【手続補正１】
【補正対象書類名】実用新案登録請求の範囲
【補正対象項目名】請求項６
【補正方法】変更
【補正の内容】
【請求項６】
前記ヘッドレスト駆動機構は、手動で操作され所定の位置に設定されるハンドルと、前記ハンドルの回動操作に基づいて前記ヘッドレスト部の前記背もたれ部との角度位置を変更するリンク機構と、を備えることを特徴とする請求項３に記載のマッサージ用ベッド。
【手続補正２】
【補正対象書類名】明細書
【補正対象項目名】００２１
【補正方法】変更
【補正の内容】
【００２１】
更に、請求項６に記載の考案によれば、ヘッドレスト部のヘッドレスト駆動機構は、手動で操作され所定の位置に設定されるハンドルと、前記ハンドルの回動操作に基づいて前記ヘッドレスト部の前記背もたれ部との角度位置を変更するリンク機構とで構成される。よって、手動でのハンドルの操作でリンク機構を介してヘッドレスト部の背もたれ部との角度位置を所望の状態に変更できる。